(57)【要約】【課題】広視野角であり、表示品位の高い液晶表示装置を提供する。【解決手段】液晶表示装置は、第１基板と、第２基板と、第１基板および第２基板間に狭持された液晶層と、反射領域Ｒ３および透過領域Ｒ２を含み、第１方向ｄ１および第２方向ｄ２にマトリクス状に設けられた複数の画素部７と、を備えている。各画素部７は、画素電極１５と、第２基板に設けられ、かつ、反射領域Ｒ３に重なっているとともに第２方向ｄ２に画素電極の周縁を超えて位置し、かつ、第１基板側に突出して反射領域と対向した液晶層の層厚を透過領域Ｒ２と対向した液晶層の層厚より薄くする突出部と、を有している。画素電極１５は、反射領域Ｒ３に重なった側の先端に、突出部２４の側縁を超えて第１方向ｄ１に延出した非重畳部１５ａを含んでいる。【選択図】      図２
2007065299.tif 000002
【特許請求の範囲】
【請求項１】
第１基板と、
前記第１基板に隙間を置いて対向配置された第２基板と、
前記第１基板および第２基板間に狭持された液晶層と、
前記第１基板および第２基板間に、反射領域およびこの反射領域に第１方向に隣接した透過領域を含み、かつ、前記第１方向およびこの第１方向に直交した第２方向にマトリクス状に設けられた複数の画素部と、を備え、
前記各画素部は、
前記第１基板上に形成されているとともに前記反射領域および透過領域に重なった画素電極と、
前記第１基板および第２基板の一方に設けられ、かつ、前記反射領域に重なっているとともに前記第２方向に前記画素電極の周縁を超えて位置し、かつ、前記第１基板および第２基板の他方側に突出して前記反射領域と対向した前記液晶層の層厚を前記透過領域と対向した前記液晶層の層厚より薄くする突出部と、を有し、
前記画素電極は、前記反射領域に重なった側の先端に、前記突出部の側縁を超えて前記第１方向に延出した非重畳部を含んでいることを特徴とする液晶表示装置。
【請求項２】
前記非重畳部は、前記突出部の側縁から１０μｍ以上延出していることを特徴とする請求項１に記載の液晶表示装置。
【請求項３】
前記突出部は、前記第２基板に設けられていることを特徴とする請求項１に記載の液晶表示装置。
【請求項４】
前記突出部は、前記第２方向に延出してストライプ状に形成されているとともに前記第２方向に並んだ前記画素部の反射領域に重なって設けられていることを特徴とする請求項１に記載の液晶表示装置。
【請求項５】
前記突出部は、前記画素電極に重ならない個所であるとともに前記画素電極の周縁から前記第２方向に隙間を置いた個所が分断され、複数の分割部で形成されていることを特徴とする請求項４に記載の液晶表示装置。
【請求項６】
前記各画素部は、
前記第１基板および第２基板の一方に設けられているとともに前記透過領域に位置し、かつ、前記第１基板および第２基板の他方側に突出して、前記透過領域と対向した液晶層の液晶分子の傾く方向を制御する突起を備えていることを特徴とする請求項１に記載の液晶表示装置。
【請求項７】
前記画素電極は、前記反射領域に重なった個所に、一部を切り抜いた切り欠き部を有していることを特徴とする請求項１に記載の液晶表示装置。
【請求項８】
前記切り抜き部は、前記反射領域を前記第１方向に２等分する位置に形成されていることを特徴とする請求項７に記載の液晶表示装置。
【請求項９】
前記液晶層は、液晶分子の配列が垂直配向となる垂直配向型であることを特徴とする請求項１に記載の液晶表示装置。
【発明の詳細な説明】
【技術分野】
【０００１】
この発明は、液晶表示装置に関し、特に半透過型の液晶表示装置に関する。
【背景技術】
【０００２】
一般に、液晶表示装置は、軽量、薄型、低消費電力等の特徴を有しているため、ＯＡ（オフィス‐オートメーション）機器、情報端末機、時計、テレビ等様々な分野に応用されている。特に、液晶表示装置は、スイッチング素子として薄膜トランジスタを備えることにより高速応答性が得られるため、携帯電話、テレビ、コンピュータ等、多くの電子機器の表示部に用いられている。
【０００３】
また、携帯端末機の小型軽量化に伴い、高精細であり、視野角の広い液晶表示装置が望まれている。高精細化には、液晶表示装置のスイッチング素子を上記薄膜トランジスタで形成することで対応している。一方、視野角を広くするため、液晶表示装置は、ネマチック液晶を用いたＯＣＢ（Optically Compensated Birefringence）モード、ＭＶＡ（Multi-domain Vertically Aligned）モードまたはＩＰＳ（In-Plane Switching）モードを用いている。ＭＶＡモードに関する技術は、例えば、特許文献１に開示されている。
【０００４】
携帯端末機は屋外等の明るい所で使用される頻度が高いことから、液晶表示装置としては、従来の透過型液晶表示装置に、部分的に反射表示を行うことが可能な反射部を加えた半透過型液晶表示装置が実用化されている。
【特許文献１】特開２００４−３５５０３２号公報
【発明の開示】
【発明が解決しようとする課題】
【０００５】
近年、視野角が広く、かつ、屋外での表示画像の視認性に優れた高性能の液晶表示装置が望まれ、実用化に向けた開発が進められている。このため、半透過型液晶表示装置にＯＣＢモード、ＭＶＡモードまたはＩＰＳモードを組み合せることにより、高性能の液晶表示装置の実用化が進められている。液晶表示装置は、高性能である他、表示品位に優れていることが望ましい。  
この発明は以上の点に鑑みなされたもので、その目的は、広視野角であり、表示品位の高い液晶表示装置を提供することにある。
【課題を解決するための手段】
【０００６】
上記課題を解決するため、本発明の態様に係る液晶表示装置は、
第１基板と、
前記第１基板に隙間を置いて対向配置された第２基板と、
前記第１基板および第２基板間に狭持された液晶層と、
前記第１基板および第２基板間に、反射領域およびこの反射領域に第１方向に隣接した透過領域を含み、かつ、前記第１方向およびこの第１方向に直交した第２方向にマトリクス状に設けられた複数の画素部と、を備え、
前記各画素部は、
前記第１基板上に形成されているとともに前記反射領域および透過領域に重なった画素電極と、
前記第１基板および第２基板の一方に設けられ、かつ、前記反射領域に重なっているとともに前記第２方向に前記画素電極の周縁を超えて位置し、かつ、前記第１基板および第２基板の他方側に突出して前記反射領域と対向した前記液晶層の層厚を前記透過領域と対向した前記液晶層の層厚より薄くする突出部と、を有し、
前記画素電極は、前記反射領域に重なった側の先端に、前記突出部の側縁を超えて前記第１方向に延出した非重畳部を含んでいることを特徴としている。
【発明の効果】
【０００７】
この発明によれば、広視野角であり、表示品位の高い液晶表示装置を提供することができる。
【発明を実施するための最良の形態】
【０００８】
以下、図面を参照しながらこの発明の第１の実施の形態に係る半透過型の液晶表示装置について詳細に説明する。  
図１、図２および図３に示すように、液晶表示装置は、第１基板としてのアレイ基板１と、このアレイ基板に所定の隙間を置いて対向配置された第２基板としての対向基板２と、これらアレイ基板および対向基板間に狭持された液晶層３とを備えている。
【０００９】
アレイ基板１は、透明な絶縁基板としてのガラス基板１０を備えている。このガラス基板１０上には、複数の信号線１１および図示しない複数の走査線が配設されている。信号線１１は第１方向ｄ１に配設され、走査線は第１方向に直交する第２方向ｄ２に配設されている。隣合う２本の信号線１１および隣合う２本の走査線でそれぞれ囲まれた複数の画素領域Ｒ１は第１方向ｄ１および第２方向ｄ２にマトリクス状に設けられ、これら複数の画素領域内にはそれぞれ画素部７が形成されている。なお、後述するが、各画素領域Ｒ１は遮光層２２で囲まれた領域でもある。
【００１０】
アレイ基板１において、画素部７は、ガラス基板１０上に形成され、スイッチング素子として、アモルファスシリコンおよびポリシリコン等の半導体膜を有したＴＦＴ（薄膜トランジスタ）１２を有している。上記したように、ガラス基板１０上には信号線１１、走査線およびＴＦＴ１２等のアレイパターン１３が形成されている。
【００１１】
アレイパターン１３の他、ガラス基板１０上には、金属薄膜としてのアルミニウム薄膜等光を反射する材料の薄膜からなる複数の反射部１４およびＩＴＯ（インジウム・ティン・オキサイド）等の透明な導電膜からなる複数の画素電極１５が形成されている。なお、図示しないが、反射部１４は、対向基板２に対向した側に小さな凹凸状の表面Ｓを有している。反射部１４および画素電極１５は、それぞれ画素領域Ｒ１に重なって画素部７を形成している。また、ガラス基板１０上には、画素電極１５を覆った垂直配向膜１６が成膜されている。垂直配向膜１６上には複数本の柱状スペーサ１７が形成されている。
【００１２】
対向基板２は、透明な絶縁基板としてのガラス基板２０を備えている。このガラス基板２０上には、ブラックマトリクスとして機能する格子状の遮光層２２と、赤色の着色層２３Ｒ、緑色の着色層２３Ｇおよび青色の着色層２３Ｂからなる複数の着色層とを有したカラーフィルタ２１が配設されている。各着色層は、その周縁部が遮光層２２に重なって配設されている。
【００１３】
カラーフィルタ２１上には、第２方向ｄ２に延出しているとともに第１方向ｄ１に並んで形成された複数の突出部２４が形成されている。突出部２４はストライプ状に形成されている。突出部２４は、例えば感光性アクリルレジストで形成されている。突出部２４は画素部７を形成している。なお、突出部２４は、この実施の形態と同様に、ＴＦＴ１２や画素電極１５等の能動素子が形成されたアレイ基板１と対向する対向基板２に設けることが好ましい。突出部２４は透明であり、透光性を有している。
【００１４】
カラーフィルタ２１および突出部２４上には、ＩＴＯ等の透明な導電膜からなる対向電極２５が形成されている。対向電極２５上に垂直配向膜２７が成膜されている。なお、垂直配向膜１６、２７の膜厚は７０ｎｍないし９０ｎｍ程度である。
【００１５】
アレイ基板１および対向基板２は、これら両基板の周縁部に配設されたシール材３０により互いに接合され、柱状スペーサ１７により所定の隙間を保持して対向配置されている。液晶層３は、アレイ基板１、対向基板２およびシール材３０で囲まれた空間に誘電異方性が負の液晶材料を充填することで形成されている。液晶層３は、液晶分子の配列が垂直配向となる垂直配向型である。
【００１６】
アレイ基板１の外面には第１光学部４が設けられ、対向基板２の外面には第２光学部５が設けられている。第１光学部４は、アレイ基板１の外面に順に設けられたλ／４板および偏光板で形成され、入射される光を円偏光の光としてアレイ基板に出射させる機能を有している。第２光学部５は、対向基板２の外面に順に設けられたλ／４板および偏光板で形成され、アレイ基板１、液晶層３および対向基板を透過した円偏光の光を直線偏光の光として出射させる機能を有している。
【００１７】
第１光学部４の外面側にバックライトユニット６が設けられている。バックライトユニット６は、第１光学部４と対向し導光板を含む導光体６ａと、この導光体の一側縁に対向配置された光源６ｂおよび反射板６ｃとを有している。
【００１８】
ここで、画素部７について説明する。画素部７は、アレイ基板１および対向基板２間に設けられている。画素部７（画素領域Ｒ１）は第１方向ｄ１に平行な長軸を有し、矩形状である。画素部７（画素領域Ｒ１）は、画素部（画素領域）の長軸の方向に隣接した矩形状の透過領域Ｒ２および矩形状の反射領域Ｒ３を含んでいる。
【００１９】
複数の突出部２４は、それぞれ第２方向ｄ２に並んだ複数の反射領域Ｒ３に重なって設けられている。このため、突出部２４は、各画素電極１５に重なっているとともに、第２方向ｄ２においては各画素電極の周縁より外側にも形成されている。突出部２４はアレイ基板１側に突出し、透過領域Ｒ２と反射領域Ｒ３とに段差を形成している。このため、反射領域Ｒ３と対向した液晶層３の層厚は、透過領域Ｒ２と対向した液晶層３の層厚より薄くなっている。
【００２０】
反射部１４は、反射領域Ｒ３に重なっているとともにこの反射領域に位置した画素電極１５に重なっている。画素電極１５は、反射領域Ｒ３に重なった側の先端に、この画素電極に重なった突出部２４の側縁を超えて第１方向ｄ１に延出した非重畳部１５ａを有している。なお、反射部１４も、画素電極１５の非重畳部１５ａに重なった非重畳部１４ａを有している。この実施の形態において、非重畳部１５ａは、突出部２４の側縁から１０μｍ延出している。このため、非重畳部１４ａおよび非重畳部１５ａが突出部２４の側縁から外側に延出した長さＬは１０μｍである。上記したことから、反射領域Ｒ３に対称性の高いＭＶＡ配向が形成されたＭＶＡモードの半透過型の液晶表示装置が得られる。
【００２１】
上記のように構成された液晶表示装置によれば、突出部２４は、第２方向ｄ２に並んだ画素電極１５に重なっているとともに、第２方向ｄ２においては各画素電極の周縁より外側にも形成されている。このため、液晶表示装置は、第２方向ｄ２でのアレイ基板１と対向基板２との組み立てズレに影響され難い利点を有している。すなわち、アレイ基板１と対向基板２との組み立て位置がずれた場合に生じる異常な液晶分子配列を抑制することができる。これにより、反射領域Ｒ３において液晶分子は正常に配向し、液晶表示装置は対称性の高い視野角特性を得ることができる。
【００２２】
また、液晶表示装置は突出部２４の他、画素電極１５を有し、画素電極１５は、反射領域Ｒ３に重なった側の先端に、突出部２４の側縁を超えて第１方向ｄ１に延出した非重畳部１５ａを有している。
【００２３】
これにより、画素電極１５の周縁に発生するfringe filed（電場）と、突出部２４の側縁と対向する対向電極２５に発生する弱いfringe filedとが相互作用する。このため、反射領域Ｒ３に対称性の高いＭＶＡ配向を形成することができ、反射表示では広視野角の視野角特性を得ることができる。上記した場合、突出部２４の側縁から延出した非重畳部１５ａの長さＬが以下に示す関係を満たすことが重要である。  
１０μm≦Ｌ≦（ＬＰ−ＬＢ）／２
ここで、ＬＰは画素電極１５の第１方向ｄ１（長手方向）の長さであり、ＬＢは突出部２４の第１方向ｄ１の幅である。
【００２４】
上述したように、突出部２４によってもfringe filedが発生するため、不要な液晶配列を誘起する問題がある。このため、本願発明者等は、この問題を回避するため、突出部２４を、fringe filedが発生し易い画素電極１５側ではなく、fringe filedが発生し難い対向基板２側に配置している。これにより、突出部２４近傍のfringe filedは低減されるため、fringe filedによる不要な液晶配列を低減することができる。さらに、突出部２４を絶縁性材料を用いて形成することにより、液晶層３に電圧を印加し易くなる。
【００２５】
ＭＶＡモードは、従来から実用化されているＴＮモードやＩＰＳモードなどに代表される水平配向型液晶表示装置の配向膜形成工程で行われているラビング処理を必要としない。このため、配向膜形成工程でのゴミの発生や、ラビングムラ等の不良を回避できる点で、ＭＶＡモード（垂直配向型）の液晶表示装置は生産性に優れている。  
上記したことから、広視野角であり、表示品位の高い液晶表示装置を得ることができる。
【００２６】
次に、この発明の第２の実施の形態に係る半透過型の液晶表示装置について詳細に説明する。なお、この実施の形態において、他の構成は上述した第１の実施の形態と同一であり、同一の部分には同一の符号を付してその詳細な説明を省略する。
【００２７】
図４、図５および図６に示すように、液晶表示装置は、透過領域Ｒ２に設けられた突起２６を有している。突起２６は対向電極２５上に畝状に形成されている。より詳しくは、突起２６は、ほぼ三角形の断面を有した凸部が第１方向ｄ１に延出して形成されている。このため、突起２６は対向電極２５表面からアレイ基板１側に突出している。突起２６は、透過領域Ｒ２を第２方向ｄ２に２等分するように形成されている。
【００２８】
突起２６は、透過領域Ｒ２と対向した液晶層３の液晶分子の傾く方向を制御する機能を有している。突起２６は画素部７を形成している。なお、垂直配向膜２７は、対向電極２５および突起２６上に成膜されている。  
上記したように、透過領域Ｒ２および反射領域Ｒ３に対称性の高いＭＶＡ配向が形成されたＭＶＡモードの半透過型の液晶表示装置が得られる。
【００２９】
上記のように構成された液晶表示装置によれば、突出部２４は、第２方向ｄ２に並んだ画素電極１５に重なっているとともに、第２方向ｄ２においては各画素電極の周縁より外側にも形成されている。これにより、反射領域Ｒ３において液晶分子は正常に配向し、液晶表示装置は対称性の高い視野角特性を得ることができる。
【００３０】
また、液晶表示装置は突出部２４の他、画素電極１５を有し、画素電極１５は、反射領域Ｒ３に重なった側の先端に、突出部２４の側縁を超えて第１方向ｄ１に延出した非重畳部１５ａを有している。このため、反射領域Ｒ３に対称性の高いＭＶＡ配向を形成することができ、反射表示では広視野角の視野角特性を得ることができる。
【００３１】
さらに、液晶表示装置は、突起２６を有しているため、透過領域Ｒ２において液晶分子は正常に配向し、液晶表示装置は対称性の高い視野角特性を得ることができる。なお、突起２６が形成された対向基板２には突出部２４も形成されているため、突出部２４は突起２６近傍に発生するfringe filedの低減に寄与している。  
上記したことから、広視野角であり、表示品位の高い液晶表示装置を得ることができる。
【００３２】
次に、この発明の第３の実施の形態に係る半透過型の液晶表示装置について詳細に説明する。なお、この実施の形態において、他の構成は上述した第１および第２の実施の形態と同一であり、同一の部分には同一の符号を付してその詳細な説明を省略する。
【００３３】
図７および図８に示すように、液晶表示装置は、上述した突起２６を有している。画素電極１５は、突出部２４（反射領域Ｒ３）に重なった領域に一部を切り抜いた切り欠き部１５ｂを有している。切り欠き部１５ｂは、突出部２４（反射領域Ｒ３）を第１方向ｄ１にほぼ２等分するよう突出部２４の中心を通る位置に第２方向ｄ２に延出して形成されている。切り欠き部１５ｂは、透過領域Ｒ２の画素電極１５と反射領域Ｒ３の画素電極１５との電気的導通状態に支障を来すことのないように形成されている。この実施の形態において、画素電極１５は２つの切り欠き部１５ｂを有している。なお、反射部１４も、画素電極１５の切り欠き部１５ｂに重なった領域に一部を切り抜いた切り欠き部１４ｂを有している。  
上記したように、透過領域Ｒ２および反射領域Ｒ３に対称性の高いＭＶＡ配向が形成されたＭＶＡモードの半透過型の液晶表示装置が得られる。
【００３４】
次に、上記液晶表示装置の液晶層３の液晶分子の配向状態について説明する。  
図９および図１０に示すように、反射領域Ｒ３では、突出部２４と切り欠き部１４ｂおよび切り欠き部１５ｂとによって液晶分子３ａが誘起され、均一な第１チルト方向が決定している。第１チルト方向により、液晶表示装置は、上下／左右方向でそれぞれ対称な視野角を得ることができる。
【００３５】
また、反射領域Ｒ３では、画素電極１５の非重畳部１５ａによって液晶分子３ｂが誘起され、第２チルト方向が決定している。非重畳部１５ａは、突出部２４の側縁から第１方向ｄ１に１０μｍ延出しているため、反射領域Ｒ３内の配向状態への影響は殆ど示さなかった。
【００３６】
透過領域Ｒ２では、画素電極１５と突起２６とによって液晶分子３ｃが誘起され、第３チルト方向が決定している。第３チルト方向により、液晶表示装置は、上下／左右方向でそれぞれ対称な視野角を得ることができる。
【００３７】
上記のように構成された液晶表示装置によれば、突出部２４は、第２方向ｄ２に並んだ画素電極１５に重なっているとともに、第２方向ｄ２においては各画素電極の周縁より外側にも形成されている。これにより、反射領域Ｒ３において液晶分子は正常に配向し、液晶表示装置は対称性の高い視野角特性を得ることができる。
【００３８】
また、液晶表示装置は突出部２４の他、画素電極１５を有し、画素電極１５は、反射領域Ｒ３に重なった側の先端に、突出部２４の側縁を超えて第１方向ｄ１に延出した非重畳部１５ａを有している。このため、反射領域Ｒ３に対称性の高いＭＶＡ配向を形成することができ、反射表示では広視野角の視野角特性を得ることができる。
【００３９】
液晶表示装置は、突起２６を有しているため、透過領域Ｒ２において液晶分子は正常に配向し、液晶表示装置は対称性の高い視野角特性を得ることができる。なお、突起２６が形成された対向基板２には突出部２４も形成されているため、突出部２４は突起２６近傍に発生するfringe filedの低減に寄与している。
【００４０】
さらに、液晶表示装置は、切り欠き部１５ｂが形成された画素電極１５を有している。切り欠き部１５ｂを延出させる方向は、突出部２４によって発生するfringe filed成分のうち第２方向ｄ２と平行なfringe filedと整合を取る方向である第２方向ｄ２が最も好ましい。切り欠き部１５ｂを第２方向ｄ２に延出させて形成することにより、より対称性の高いＭＶＡ配向を形成することができ、反射表示ではより広視野角の視野角特性を得ることができる。  
上記したことから、広視野角であり、表示品位の高い液晶表示装置を得ることができる。
【００４１】
次に、上述した半透過型の液晶表示装置の比較例について説明する。  
図１１および図１２に示すように、反射部１４は非重畳部１４ａを、画素電極１５は非重畳部１５ａを有しておらず、反射部１４および画素電極１５の先端が突出部２４の側縁から１０μｍ内側に入って位置している。この比較例において、反射部１４および画素電極１５が突出部２４の側縁から外側に延出した長さＬは−１０μｍである。
【００４２】
次に、上記液晶表示装置の液晶層３の液晶分子の配向状態について説明する。  
図１１および図１２に示すように、反射領域Ｒ３では、突出部２４と切り欠き部１４ｂおよび切り欠き部１５ｂとによって液晶分子３ａが誘起され、均一な第１チルト方向が決定している。第１チルト方向により、液晶表示装置は、上下／左右方向でそれぞれ対称な視野角を得ることができる。
【００４３】
また、反射領域Ｒ３では、画素電極１５の先端部によって液晶分子３ｂが誘起され第２チルト方向が決定している。しかしながら、第２チルト方向の存在により、反射領域Ｒ３全体では不均一な配向状態となった。このため、第１チルト方向および第２チルト方向により、液晶表示装置は、上下／左右方向で対称な視野角を得ることができず、上下／左右方向では非対称な視野角となった。上記したことは、Ｌ≦−１０μｍの関係式を満たす場合に顕著である。
【００４４】
一方、透過領域Ｒ２では、画素電極１５と突起２６とによって液晶分子３ｃが誘起され、第３チルト方向が決定している。第３チルト方向により、液晶表示装置は、上下／左右方向でそれぞれ対称な視野角を得ることができる。  
上記したように、比較例の液晶表示装置では、反射領域Ｒ３に対称性の高いＭＶＡ配向は形成されなかった。
【００４５】
なお、この発明は、上述した実施の形態に限定されることなく、この発明の範囲内で種々変形可能である。例えば、図１３に示すように、突出部２４は、画素電極１５に重ならない個所であるとともに画素電極１５の周縁から第２方向ｄ２に隙間を置いた個所が分断され、複数の分割部２４ａで形成されても良い。突出部２４が分断された場合でも、分断されていない突出部２４と同様の効果を得ることができる。なお、複数の分割部２４ａで形成された突出部２４は、上述した第１の実施の形態に係る液晶表示装置に限らず、第２、第３の実施の形態に係る液晶表示装置にも適用することができる。
【００４６】
切り欠き部１５ｂを延出させる方向は第２方向ｄ２に限定されるものではない。切り欠き部１５ｂは突出部２４に重なった個所の画素電極１５に形成されていれば良い。突起２６の凸部の断面形状は、三角形に限らず、任意の多角形、または半円形でも良い。突起２６は第１方向ｄ１に複数に分断して形成しても良い。反射部１４は画素電極１５上に形成されても良い。
【図面の簡単な説明】
【００４７】
【図１】この発明の第１の実施の形態に係る液晶表示装置の断面図。
【図２】図１に示した液晶表示装置の画素電極および突出部を取り出して示す平面図。
【図３】図２の線Ａ−Ａに沿った液晶表示装置の断面図。
【図４】この発明の第２の実施の形態に係る液晶表示装置の画素電極、突出部および突起を取り出して示す平面図。
【図５】図４の線Ｂ−Ｂに沿った液晶表示装置の断面図。
【図６】図４の線Ｃ−Ｃに沿った対向基板の断面図。
【図７】この発明の第３の実施の形態に係る液晶表示装置の画素電極、突出部および突起を取り出して示す平面図。
【図８】図７の線Ｄ−Ｄに沿った液晶表示装置の断面図。
【図９】図７に示した液晶表示装置の配向状態を説明する平面図。
【図１０】図８に示した液晶表示装置の配向状態を説明する断面図。
【図１１】上記液晶表示装置の比較例であり、画素電極、突出部および突起を取り出して液晶表示装置の配向状態を説明する平面図。
【図１２】図１１の線Ｅ−Ｅに沿った液晶表示装置の配向状態を説明する断面図。
【図１３】図１ないし図３に示した液晶表示装置の変形例であり、画素電極および突出部を取り出して示す平面図。
【符号の説明】
【００４８】
１…アレイ基板、２…対向基板、３…液晶層、６…バックライトユニット、７…画素部、１０…ガラス基板、１４…反射部、１４ａ…非重畳部、１４ｂ…切り欠き部、１５…画素電極、１５ａ…非重畳部、１５ｂ…切り欠き部、１６…垂直配向膜、２０…ガラス基板、２１…カラーフィルタ、２３Ｒ，２３Ｇ，２３Ｂ…着色層、２４…突出部、２４ａ…分割部、２５…対向電極、２６…突起、２７…垂直配向膜、ｄ１…第１方向、ｄ２…第２方向、Ｒ１…画素領域、Ｒ２…透過領域、Ｒ３…反射領域。
【図１】
2007065299.tif 000003
【図２】
2007065299.tif 000004
【図３】
2007065299.tif 000005
【図４】
2007065299.tif 000006
【図５】
2007065299.tif 000007
【図６】
2007065299.tif 000008
【図７】
2007065299.tif 000009
【図８】
2007065299.tif 000010
【図９】
2007065299.tif 000011
【図１０】
2007065299.tif 000012
【図１１】
2007065299.tif 000013
【図１２】
2007065299.tif 000014
【図１３】
2007065299.tif 000015